【手続補正書】
【提出日】平成18年5月2日(2006.5.2)
【手続補正１】
【補正対象書類名】明細書
【補正対象項目名】発明の名称
【補正方法】変更
【補正の内容】
【発明の名称】相手先時刻表示装置
【手続補正２】
【補正対象書類名】明細書
【補正対象項目名】特許請求の範囲
【補正方法】変更
【補正の内容】
【特許請求の範囲】
【請求項１】
相手先への通信を行うためのナンバーまたはダイヤルなどの相手先通信データを入力するための相手先通信データ入力手段と、
前記相手先通信データ入力手段により入力された相手先通信データに基づいて相手先の国や地域を取得するための相手先地域等取得手段と、
前記相手先地域等取得手段により取得されたデータに基づいて、相手先の国や地域の現在の時刻を取得するための相手先現在時刻取得手段と、
前記相手先現在時刻取得手段により得られた相手先の現在時刻をユーザーに画面表示または音声で知らせるための相手先現在時刻告知手段と、
を備えたことを特徴とする、相手先現在時刻告知機能を備えた電話機などの通信装置。
【請求項２】
相手先への通信を行うためのナンバーまたはダイヤルなどの相手先通信データを入力するための相手先通信データ入力手段と、
前記相手先通信データ入力手段により入力された相手先通信データに基づいて相手先の国や地域を取得するための相手先地域等取得手段と、
前記相手先地域等取得手段により取得されたデータに基づいて、送信者と受信者との時差がある場合、相手先の現在時刻をユーザーに画面表示または音声で知らせるための相手先現在時刻告知手段と、
前記相手先地域等取得手段により取得されたデータに基づいて、送信者と受信者との時差がある場合、相手先への回線接続をいったん停止して待機するための待機手段と、
操作者が通信開始の操作をしたか又は所定時間が経過したとき、自動的に相手先への回線接続を開始するための回線接続開始手段と、
を備えたことを特徴とする、相手先現在時刻告知機能を備えた電話機などの通信装置。
【請求項３】
相手先への通信を行うためのナンバーまたはダイヤルなどの相手先通信データを受け付けるための相手先通信データ受付手段と、
前記相手先通信データ受付手段により受け付けた相手先通信データに基づいて相手先の国や地域を取得するための相手先地域等取得手段と、
前記相手先地域等取得手段により取得されたデータに基づいて、相手先の国や地域の現在の時刻を取得するための相手先現在時刻取得手段と、
前記相手先現在時刻取得手段により得られた相手先の現在時刻を発信者側に画面表示または音声で知らせるための相手先現在時刻告知手段と、
を備えたことを特徴とする、相手先現在時刻告知機能を提供するための通信サービスシステム。
【請求項４】
相手先への通信を行うためのナンバーまたはダイヤルなどの相手先通信データを受け付けるための相手先通信データ受付手段と、
前記相手先通信データ受付手段により受け付けた相手先通信データに基づいて相手先の国や地域を取得するための相手先地域等取得手段と、
前記相手先地域等取得手段により取得されたデータに基づいて、送信者と受信者との時差がある場合、相手先の現在時刻を発信者側に画面表示または音声で知らせるための相手先現在時刻告知手段と、
前記相手先地域等取得手段により取得されたデータに基づいて、送信者と受信者との時差がある場合、相手先への回線接続をいったん停止して待機するための待機手段と、
操作者が通信開始の操作をしたか又は所定時間が経過したとき、自動的に相手先への回線接続を開始するための回線接続開始手段と、
を備えたことを特徴とする、相手先現在時刻告知機能を提供するための通信サービスシステム。
【請求項５】
相手先への通信を行うためのナンバーまたはダイヤルなどの相手先通信データを入力するための相手先通信データ入力手段と、
前記相手先通信データ入力手段により入力された相手先通信データに対応す相手先の国や地域に基づいて取得された相手先の国や地域の現在の時刻を、中継局などの通信サービス提供側から受信するための相手先現在時刻受信手段と、
前記相手先現在時刻受信手段により受信した相手先の国や地域の現在の時刻を、画面表示又は音声により出力するための相手先現在時刻告知手段と、
を備えたことを特徴とする、相手先現在時刻告知機能を提供できる電話機などの通信装置。
【請求項６】
相手先への通信を行うためのナンバーまたはダイヤルなどの相手先通信データを入力するための相手先通信データ入力手段と、
前記相手先通信データ入力手段により入力された相手先通信データに対応す相手先の国や地域に基づいて取得された相手先の国や地域の現在の時刻を、中継局などの通信サービス提供側から受信するための相手先現在時刻受信手段と、
前記相手先現在時刻受信手段により受信された相手先の国や地域の現在の時刻を、画面表示又は音声により出力するための相手先現在時刻告知手段と、
前記相手先通信データ入力手段により入力された相手先通信データに対応す相手先の国や地域のデータに基づいて送信者と受信者と間に時差があることが判明した場合に、中継局などの通信サービス提供側によって、相手先への回線接続がいったん停止されて待機状態にされた後、操作者が通信開始の操作をしたか又は所定時間が経過したことを条件に自動的に相手先への回線接続が開始されたとき、その開始された回線接続により相手先と通話を行うための通話手段と、
を備えたことを特徴とする、相手先現在時刻告知機能を提供できる電話機などの通信装置。
【手続補正３】
【補正対象書類名】明細書
【補正対象項目名】０００９
【補正方法】変更
【補正の内容】
【０００９】
本発明の請求項１に記載の発明は、  相手先への通信を行うためのナンバーまたはダイヤルなどの相手先通信データを入力するための相手先通信データ入力手段と、
前記相手先通信データ入力手段により入力された相手先通信データに基づいて相手先の国や地域を取得するための相手先地域等取得手段と、
前記相手先地域等取得手段により取得されたデータに基づいて、相手先の国や地域の現在の時刻を取得するための相手先現在時刻取得手段と、
前記相手先現在時刻取得手段により得られた相手先の現在時刻をユーザーに画面表示または音声で知らせるための相手先現在時刻告知手段と、
を備えたことを特徴とする、相手先現在時刻告知機能を備えた電話機などの通信装置である。
【手続補正４】
【補正対象書類名】明細書
【補正対象項目名】００１０
【補正方法】変更
【補正の内容】
【００１０】
本発明の請求項２に記載の発明は、相手先への通信を行うためのナンバーまたはダイヤルなどの相手先通信データを入力するための相手先通信データ入力手段と、
前記相手先通信データ入力手段により入力された相手先通信データに基づいて相手先の国や地域を取得するための相手先地域等取得手段と、
前記相手先地域等取得手段により取得されたデータに基づいて、送信者と受信者との時差がある場合、相手先の現在時刻をユーザーに画面表示または音声で知らせるための相手先現在時刻告知手段と、
前記相手先地域等取得手段により取得されたデータに基づいて、送信者と受信者との時差がある場合、相手先への回線接続をいったん停止して待機するための待機手段と、
操作者が通信開始の操作をしたか又は所定時間が経過したとき、自動的に相手先への回線接続を開始するための回線接続開始手段と、
を備えたことを特徴とする、相手先現在時刻告知機能を備えた電話機などの通信装置である。
上記構成により、相手先ナンバーまたはダイヤルの入力データにより相手先の国と地域が特定できるため、これらの情報を基に相手先の時刻を算出し、この結果を発信側のディスプレイに表示または音声で知らせる認知手段により、送信者に認知させることができる。これにより、相手先に時差があっても迷惑な時間帯かどうか判断して通信の継続または中止を決定することができる。
【手続補正５】
【補正対象書類名】明細書
【補正対象項目名】００１１
【補正方法】変更
【補正の内容】
【００１１】
本発明の請求項３に記載の発明は、相手先への通信を行うためのナンバーまたはダイヤルなどの相手先通信データを受け付けるための相手先通信データ受付手段と、
前記相手先通信データ受付手段により受け付けた相手先通信データに基づいて相手先の国や地域を取得するための相手先地域等取得手段と、
前記相手先地域等取得手段により取得されたデータに基づいて、相手先の国や地域の現在の時刻を取得するための相手先現在時刻取得手段と、
前記相手先現在時刻取得手段により得られた相手先の現在時刻を発信者側に画面表示または音声で知らせるための相手先現在時刻告知手段と、
を備えたことを特徴とする、相手先現在時刻告知機能を提供するための通信サービスシステムである。
【手続補正６】
【補正対象書類名】明細書
【補正対象項目名】００１２
【補正方法】変更
【補正の内容】
【００１２】
本発明の請求項４に記載の発明は、相手先への通信を行うためのナンバーまたはダイヤルなどの相手先通信データを受け付けるための相手先通信データ受付手段と、
前記相手先通信データ受付手段により受け付けた相手先通信データに基づいて相手先の国や地域を取得するための相手先地域等取得手段と、
前記相手先地域等取得手段により取得されたデータに基づいて、送信者と受信者との時差がある場合、相手先の現在時刻を発信者側に画面表示または音声で知らせるための相手先現在時刻告知手段と、
前記相手先地域等取得手段により取得されたデータに基づいて、送信者と受信者との時差がある場合、相手先への回線接続をいったん停止して待機するための待機手段と、
操作者が通信開始の操作をしたか又は所定時間が経過したとき、自動的に相手先への回線接続を開始するための回線接続開始手段と、
を備えたことを特徴とする、相手先現在時刻告知機能を提供するための通信サービスシステムである。
上記により、現状すでに普及している全ての電話機等の通信機器または電話機に相手先時刻表示のサービスを提供できる。
【手続補正７】
【補正対象書類名】明細書
【補正対象項目名】００１３
【補正方法】変更
【補正の内容】
【００１３】
本発明の請求項５に記載の発明は、相手先への通信を行うためのナンバーまたはダイヤルなどの相手先通信データを入力するための相手先通信データ入力手段と、
前記相手先通信データ入力手段により入力された相手先通信データに対応す相手先の国や地域に基づいて取得された相手先の国や地域の現在の時刻を、中継局などの通信サービス提供側から受信するための相手先現在時刻受信手段と、
前記相手先現在時刻受信手段により受信した相手先の国や地域の現在の時刻を、画面表示又は音声により出力するための相手先現在時刻告知手段と、
を備えたことを特徴とする、相手先現在時刻告知機能を提供できる電話機などの通信装置である。
【手続補正８】
【補正対象書類名】明細書
【補正対象項目名】００１４
【補正方法】変更
【補正の内容】
【００１４】
また、本発明の請求項６に記載の発明は、相手先への通信を行うためのナンバーまたはダイヤルなどの相手先通信データを入力するための相手先通信データ入力手段と、
前記相手先通信データ入力手段により入力された相手先通信データに対応する相手先の国や地域に基づいて取得された相手先の国や地域の現在の時刻を、中継局などの通信サービス提供側から受信するための相手先現在時刻受信手段と、
前記相手先現在時刻受信手段により受信された相手先の国や地域の現在の時刻を、画面表示又は音声により出力するための相手先現在時刻告知手段と、
前記相手先通信データ入力手段により入力された相手先通信データに対応する相手先の国や地域のデータに基づいて送信者と受信者と間に時差があることが判明した場合に、中継局などの通信サービス提供側によって、相手先への回線接続がいったん停止されて待機状態にされた後、操作者が通信開始の操作をしたか又は所定時間が経過したことを条件に自動的に相手先への回線接続が開始されたとき、その開始された回線接続により相手先と通話を行うための通話手段と、
を備えたことを特徴とする、相手先現在時刻告知機能を提供できる電話機などの通信装置である。
上記により、電話機または通信機に相手先時刻表示システムを内蔵すると、機器を入手した時点で相手先時刻を通話のたびに知ることができる。また、交換機や中継機に相手先時刻表示システムを付加することにより、電話(通信）会社の側で、一括して、任意に既存電話へのサービスを実施できるため、端末機の交換の必要はない。
上記において、特に携帯電話やナンバーディスプレイ付きの電話機に於いては、メッセージ表示できるため、相手先番号の最初の数桁番号で、国と地域を表示することが可能で、ダイヤルの途中でも、時刻表示メッセージにより、相手に迷惑がかかる時刻と解れば、回線を接続途中に切ることができる。
【手続補正９】
【補正対象書類名】明細書
【補正対象項目名】００１５
【補正方法】変更
【補正の内容】
【００１５】
（実施の形態１）
以下本発明の第１の実施形態を図１により説明する。
図１は、本発明による相手先時刻表示システムを内蔵した電話機や通信機の処理ステップの概略ブロック図を示す。
以下、図１のフローを電話機を例に順番に説明する。
１．送信者は、相手先の電話番号（ナンバー・ダイヤル）を、スイッチや音声等の入力する手段により入力する。
２．国や地域を認識する手段により、時差の無い国内電話の場合は、そのまま回線を接続する。国際電話の場合は、最初の数桁で認識できるため、この場合は入力のみ受け付ける。
３．国際電話の場合は、入力データと相手先の国や地域を認識する手段により、入力された電話番号をデータベースで検索して時差と国や地域を特定する。
４．発信地域との時差データをもとに、その国や地域の時刻へ変換する手段により、相手先の時刻へ変換する。
５．電話機のディスプレイ表示または音声で知らせる認知手段で、送信者に相手の国や現在時刻を認知させる。
６．送信者は、相手に迷惑のかからない時刻だと確認できたら回線接続を行い、迷惑のかかる時刻と判断したら回線接続を取りやめる。
なお、上記３・４のステップにおいて、電話番号を元に、データベースの検索により、国や地域の時刻を直接導いても良い。
また、６のステップは、送信者に相手の現在時刻を認知させたのち、規定時間(数秒間)経過してもフックされなければ、自動的にダイヤルを送信し、回線を接続してもよい。
【手続補正１０】
【補正対象書類名】明細書
【補正対象項目名】００１９
【補正方法】変更
【補正の内容】
【００１９】
上記において対象の中継機は、海外との接続中継機で実施すると、本システムの追加中継機数が少なくて済む。
また、（海外から）かかってきた電話に対しては、本システムによって（日本）時刻を相手に知らせるサービスを実施することができる。
さらに、電話(通信)会社の側で、任意に（発信元を選択して）既存電話へのサービスを実施できるため、現在普及している電話機等の端末機は交換の必要がない。また、一括して広範囲に、サービスを開始することができる。
なお、構内で特定グループが使用するグループ電話機においては、これを一括制御する交換機に本発明を実施することにより、グループ電話機全体に本機能を付加することができる。